(57)【要約】【課題】照明の点灯状態を切り換える上での煩わしさがなく、しかも、電気の無駄な消費をなくすことができる階段等の通路の照明システムを提供する。【解決手段】通路１を照らす照明３が備えられると共に、該照明３の点灯状態を切り換えるスイッチ４が備えられ、かつ、通路１の脇に手摺り２が備えられ、前記スイッチ４はタッチスイッチからなり、該タッチスイッチ４は手摺り２の表面部に設けられ、手摺り２に触れることでスイッチが作動するようになされている。【選択図】      図１
2004303647.tif 000002
【特許請求の範囲】
【請求項１】
通路を照らす照明が備えられると共に、該照明の点灯状態を切り換えるスイッチが備えられ、かつ、通路の脇に手摺りが備えられ、前記スイッチはタッチスイッチからなり、該タッチスイッチは手摺りの表面部に設けられ、手摺りに触れることでスイッチが作動するようになされていることを特徴とする通路の照明システム。
【請求項２】
前記通路が階段である請求項１に記載の照明システム。
【請求項３】
前記通路が廊下である請求項１に記載の照明システム。
【発明の詳細な説明】
【０００１】
【発明の属する技術分野】
本発明は、階段や廊下などの通路の照明システムに関する。
【０００２】
【従来の技術】
廊下や階段に備えられる従来の照明システムは、壁面などに専用のプッシュ式スイッチが備えられ、このスイッチを押すことで、照明を点灯させたり、消灯させたりすることができるようになされている。また、最近では、赤外線センサーなどからなる人感知センサーを設置し、センサーが人を感知すると照明が点灯し、一定時間を経過すると消灯するようになされたものも提供されている。また、照明の点灯状態の切り換えについても、点灯と消灯の切り換えのほか、照度を強弱切り換えるようにしたものなども提供されている。
【０００３】
【発明が解決しようとする課題】
しかしながら、プッシュ式のスイッチによる照明システムでは、わざわざスイッチを押して照明の点灯状態を切り換えなければならず、煩わしいという問題がある。その点、人感知センサーを用いた照明システムでは、そういう煩わしさはないが、その一方、人感知センサーは人のみならず犬、猫などのペット、その他の動物も感知してしまい、電気を無駄に消費してしまうという問題がある。
【０００４】
本発明は、上記のような問題点に鑑み、照明の点灯状態を切り換える上での煩わしさがなく、しかも、電気の無駄な消費をなくすことができる通路の照明システムを提供することを課題とする。
【０００５】
【課題を解決するための手段】
上記の課題は、通路を照らす照明が備えられると共に、該照明の点灯状態を切り換えるスイッチが備えられ、かつ、通路の脇に手摺りが備えられ、前記スイッチはタッチスイッチからなり、該タッチスイッチは手摺りの表面部に設けられ、手摺りに触れることでスイッチが作動するようになされていることを特徴とする通路の照明システムによって解決される。
【０００６】
この照明システムでは、通路を行き来する上で、からだを支えるために、あるいは、何気なく、手摺りに触れると、それに付随して、照明の点灯状態が切り換われる。従って、通行する者には、点灯状態を切り換える操作を行ったという意識がなく、点灯状態の切り換えを行う上での煩わしさがない。
【０００７】
しかも、手摺りに触れなければ点灯状態が切り替わらないので、犬、猫等のペット、その他の動物が通路を行き来しても照明の点灯状態が切り換わることはなく、電気を無駄に消費することもない。
【０００８】
通路が階段である場合は、危険を伴う階段の昇降において、照明の点灯状態を切り換える上での煩わしさがなく安全に昇降を行うことができると共に、動物の昇降で点灯状態が切り換わることもなく、電気の無駄な消費をなくすことができる。
【０００９】
通路が廊下である場合であっても、高齢者などが、照明の点灯状態の切換えをわざわざ行わなくても点灯状態が切り換えられ、廊下を負担少なく行き来することができ、しかも、ペットやその他の動物の通過で点灯状態が切り換わることもなく、電気の無駄な消費もない。
【００１０】
【発明の実施の形態】
次に、本発明の実施形態を図面に基づいて説明する。
【００１１】
図１に示す第１実施形態は、通路が階段１である場合のもので、階段１の脇の壁には、手摺り２が取り付けられ、階段室の天井から照明３が吊り下げられ、照明３で階段１が照らされるようになされている。そして、手摺り２の表面部はタッチスイッチ４で構成され、手摺り２に触れることでスイッチが作動し、照明３の点灯状態が切り換えられるようになされている。
【００１２】
本実施形態では、点灯状態の切換えは、照度の強弱間で行われるようになされており、手摺り２に触れない状態では、図１（イ）に示すように、照明３が弱照度で階段１を照らし、手摺り２に触れると、図１（ロ）に示すように、照明３が強照度で階段１を照らすようになされている。また、手摺り２の表面部のタッチスイッチ４は、手摺り２の長さ方向の全部に備えられていてもよいし、階段１の下方部分と上方部分とに対応する長さ部分のみに備えられ、中間は省略されていてもよい。
【００１３】
なお、タッチスイッチ４としては、手摺り２の表面部に設けられた導体に静電気を蓄えさせ、人が手で触れることで人体を抵抗体として床面などのグランドに流れる微弱電流を感知することにより半導体スイッチを作動させるものを用いているが、要は、触れることで照明３の点灯状態の切換えを行いうるようなものであればよい。
【００１４】
上記の照明システムでは、図１（ロ）に示すように、階段１を昇降する上で、からだを支えるために、あるいは、何気なく、人が手摺り２に触れると、それに付随して、照明３の点灯状態が、図１（イ）に示すような弱照度の点灯状態から図１（ロ）に示すような強照度の点灯状態に切り換わり、階段１を昇降する者には、点灯状態を切り換える操作を行ったという意識がなく、点灯状態の切り換えを行う上での煩わしさや精神的負担がなく、階段１を安全に昇降することができる。
【００１５】
しかも、手摺り２に触れなければ点灯状態は切り替わらないので、犬、猫等のペット、その他の動物が階段１を昇降しても照明３の点灯状態が切り換わることはなく、電気を無駄に消費することがない。
【００１６】
図２に示す第２実施形態は、通路が屋内などの廊下５である場合のものであり、廊下５の脇の壁には、手摺り２が取り付けられ、廊下５の天井からは照明３が吊り下げられ、照明３で廊下５が照らされるようになされている。そして、手摺り２の表面部はタッチスイッチ４で構成され、手摺り２に触れることでスイッチが作動し、照明３の点灯状態が切り換えられるようになされている。手摺り２の表面部のタッチスイッチ４は、手摺り２の長さ方向の全部に備えられていてもよいし、廊下５への出入り部分に対応する長さ部分のみに備えられ、中間は省略されていてもよい。その他は、第１実施形態と同様である。
【００１７】
この照明システムでは、図２（ロ）に示すように、廊下５を行き来する上で、からだを支えるために、あるいは、何気なく、人が手摺り２に触れると、それに付随して、照明３の点灯状態が、図２（イ）に示すような弱照度の点灯状態から図２（ロ）に示すような強照度の点灯状態に切り換わり、廊下５を行き来する者には、点灯状態を切り換えるという操作を行ったという意識がなく、そのため、点灯状態の切り換えを行う上での煩わしさがなく、廊下５をスムーズに行き来することができる。しかも、手摺り２に触れなければ点灯状態は切り替わらないので、犬、猫等のペット、その他の動物が廊下５を行き来しても照明３の点灯状態が切り換わることはなく、電気を無駄に消費してしまうことがない。
【００１８】
以上に、本発明の実施形態を示したが、本発明はこれに限られるものではなく、発明思想を逸脱しない範囲で各種の変更が可能である。例えば、上記の実施形態では、照明の点灯状態の切換えが、弱照度と強照度との間で行われるようになされている例を示したが、点灯と消灯との間で点灯状態の切換えが行われるようになされていてもよい。
【００１９】
また、上記の実施形態では、照明が天井から吊り下げられたものからなっているが、壁に付けられた照明であってもよいし、埋込み形の照明であってもよいし、手摺りに埋込み状態に組み込まれた照明であってもよい。
【００２０】
また、上記の実施形態では、通路が、階段１である場合と廊下５である場合を示しているが、本発明は、屋内屋外を問わず、手摺りと照明の備えられる様々な通路に広く用いることができるものである。
【００２１】
【発明の効果】
本発明の通路の照明システムは、以上のとおりのものであるから、照明の点灯状態を切り換える上での煩わしさがなく、しかも、電気の無駄な消費をなくすことができる。
【図面の簡単な説明】
【図１】階段に適用した第１実施形態を示すもので、図（イ）は弱照度の点灯状態を示す側面図、図（ロ）は人が手摺りに触れて強照度の点灯状態に切り換わったところを示す側面図である。
【図２】廊下に適用した第２実施形態を示すもので、同じく、図（イ）は弱照度の点灯状態を示す側面図、図（ロ）は人が手摺りに触れて強照度の点灯状態に切り換わったところを示す側面図である。
【符号の説明】
１…階段（通路）
２…手摺り
３…照明
４…タッチスイッチ
５…廊下（通路）
【図１】
2004303647.tif 000003
【図２】
2004303647.tif 000004